(57)【要約】【課題】簡便な操作で目的の色を発するペンライトを提供する。【解決手段】本開示のペンライト１は発光部２と、環状の色情報保持部５を有する。色情報保持部５には環の部分毎に色情報が設定されている。ペンライト１には操作子６が配置される。ユーザが操作子６を用いて色情報保持部５の環の一部を特定する操作を行うとペンライト１は当該操作に応じて発光部２で発光する色を定める。このようにすると、ユーザが色情報保持部５に設定された色情報を特定する操作を行うことで、発光部２が特定された色情報に応じた色で発光する。【選択図】図１
2018097946.tif 000002
【特許請求の範囲】
【請求項１】
発光部を備えたペンライトであって、
前記ペンライトは環状の色情報保持部を有し、
前記色情報保持部は環の部分毎に色情報が設定され、
前記ペンライトには操作子が配置され、
前記操作子を用いて前記色情報保持部の環の一部を特定する操作に応じて前記発光部で発光する色が定まる、
ペンライト。
【請求項２】
前記色情報保持部は前記ペンライトの把持部近傍に形成され、
前記ペンライトをユーザが把持した際に前記ユーザの親指が存在する位置に前記操作子が配置され、
前記操作子上において前記ユーザの親指が移動する操作によって、前記色情報保持部の環の一部を特定する、
請求項１に記載のペンライト。
【請求項３】
前記操作子はジョイスティックである、
請求項２に記載のペンライト。
【請求項４】
前記操作子はタッチパネルである、
請求項２に記載のペンライト。
【請求項５】
前記色情報保持部の一部が環の部分毎に設定された色情報に応じて発色する、
請求項１に記載のペンライト。
【請求項６】
前記ペンライトは外部情報端末と通信可能であり、
前記色情報保持部の環の部分へ色情報を設定する情報を前記情報端末から受信する、
請求項１に記載のペンライト。
【発明の詳細な説明】
【技術分野】
【０００１】
本開示は、ペンライトに関する。
【背景技術】
【０００２】
特許文献１は、２つのボタンを備えたペンライトを開示する。特許文献１に開示のペンライト装置は一方のボタンに色順送り機能を備え、他方のボタンに色順逆送り機能を備える。
【先行技術文献】
【特許文献】
【０００３】
【特許文献１】特開２０１４−１９９７７２号公報
【発明の概要】
【発明が解決しようとする課題】
【０００４】
発光部を有する棒状の部材（ペンライト）を所定の色の順番で発光させるための技術としてメモリ機能と呼ばれる技術が知られている。メモリ機能を用いてペンライトに色順を登録した後に、上記特許文献１に開示されるようなボタンを操作することで、当該色順に即した順序でペンライトを発色させることができる。このようにすることで、ユーザはコンサートで演奏される曲の進行に沿った順序でペンライトを発色させることができた。
【０００５】
しかし、コンサート会場においては、ユーザが興奮し過ぎてしまったり、他人とぶつかってしまうことで、ユーザがボタンを誤操作してしまうおそれがある。
【０００６】
特許文献１の技術によれば、誤操作（色順送り又は色順逆送りボタンの押下）を打ち消すボタン操作（色順逆送り又は色順送りボタンの押下）を行うことで、目的の色でペンライトを発色させることができるようにも思える。しかし、誤操作によって押下したボタンが果たして順送りなのか、逆送りなのかをユーザが確知することは実際には困難である。よって結局のところ、一度誤操作が生じると、目的の色でペンライトを発色させるために、ユーザが複数回のボタン押下動作を行う必要があった。
【０００７】
また、メモリ機能においては事前に色順を登録する必要がある。そのためコンサートで演奏される曲が事前にユーザに想定されてないものである場合には、事前に色順を登録することができないため、そもそもメモリ機能を役立てることができない。事前に色順を登録することができなかった曲に対して曲の進行に沿った順でペンライトを発色させるために、ユーザは順送り、順逆送りボタンを駆使して、曲の進行の都度目的の色を探すことになる。よって、コンサートで演奏される曲がユーザに想定されてないものである場合には、ユーザは複数回のボタン押下動作を行う必要がある。
【０００８】
また同様にメモリ機能が存在していたとしても、コンサートで演奏される曲の順番をユーザが事前に知ることは困難である。よってユーザは曲が始まる度に、ペンライトを目的の色に切り替えるため、複数回のボタン押下動作を行う必要があった。
【０００９】
以上に述べたように、トラブルを抱えたユーザは、目的の色でペンライトを発色させようとすると、複数回のボタン押下動作を行う必要があった。
【００１０】
ここで、複数回のボタン押下動作を行うと（１）短期間にペンライトの発色がめまぐるしく変化する（２）色切り替えに要する時間が長いという事態が生じる。
【００１１】
昨今のコンサートにおいて、観客は観客同士の一体感を重視する傾向にある。観客同士の一体感とは、例えば観客が曲の進行に合わせて、同じ色のペンライトを同じタイミング振ることであったり、推しメンバーのイメージカラー発色したペンライトを当該推しメンバーのファン全員で振ることであると言われる。
【００１２】
そのような中、目的の色でペンライトを発色させようとする度に、ペンライトの発色がめまぐるしく変化する事態が生じると、当該ペンライトのユーザのみが観客の中から「浮く」存在となり、ユーザの焦燥感を煽るのみならず観客全体の一体感をも削ぐ原因なる。
【００１３】
また、色切り替えに要する時間が長いという現象が生じると、他の観客が即座に色の切り替えを行っている場合には、他のユーザとの切り替え時間の差がユーザの焦燥感を煽るのみならず観客全体の一体感をも削ぐ原因になる。
【００１４】
本開示は、簡便な操作で目的の色を発することができるペンライトを提供する。
【課題を解決するための手段】
【００１５】
本開示のペンライトは発光部と、環状の色情報保持部を有する。色情報保持部には環の部分毎に色情報が設定されている。ペンライトには操作子が配置される。ユーザが操作子を用いて色情報保持部の環の一部を特定する操作を行うとペンライトは当該操作に応じて発光部で発光する色を定める。
【発明の効果】
【００１６】
本開示によれば、簡便な操作で目的の色を発するペンライトを提供することができる。
【図面の簡単な説明】
【００１７】
【図１】図１は、実施の形態１におけるペンライトを示す図である。
【図２】図２は、実施の形態１における色情報保持部および操作子を横から見た図である。
【図３】図３は、実施の形態１における回路基盤のブロック図である。
【図４】図４は、実施の形態１における外部情報端末を示す図である。
【図５】図５は、実施の形態１における色情報設定操作を示すフローチャートである。
【図６】図６は、実施の形態１における記憶部に記録された色設定情報を示すテーブルを表した図である。
【図７】図７は、実施の形態１における発光動作によって実現される状態遷移図である。
【発明を実施するための形態】
【００１８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１９】
なお、添付図面および以下の説明は、当業者が本開示を十分に理解するために、提供されるのであって、これらにより特許請求の範囲に記載の主題を限定することは意図されていない。
【００２０】
（実施の形態１）
以下、図１〜７を用いて、実施の形態１を説明する。
【００２１】
［１−１．構成］
図１は、実施の形態１におけるペンライトを示す図である。
【００２２】
ペンライト１は発光部２と、把持部３と、柄部４を有する。
【００２３】
発光部２は内部にＬＥＤ等の発光体が配置された、透過性を有する筒である。
【００２４】
把持部３はペンライト１のユーザが把持する部分である。
【００２５】
柄部４は発光部２と把持部３の間であって把持部の近傍に配置される。柄部４には色情報保持部５と操作子６とが配置される。
【００２６】
色情報保持部５は環状の形状を有する。色情報保持部５の内部にはディスプレイなどの発光体が配置されている。色情報保持部５は当該発光体の光の少なくとも一部を透過させる。また、色情報保持部５の環の部分にはそれぞれ部分毎に色情報が設定されている。色情報とは特定の色を表す情報のことである。なお、本開示において「環状の形状」とは必ずしも途切れの無い環であることを意味するのではない。中心点から略等距離に配置された、所定の色情報を指し示す論理的な座標の集合は本開示の「環状の形状」に含まれる。つまり、色情報保持部５は、途切れた環の形状でも良いし、半円、あるいは円の一部分のみからなる形状でも良い。また、環の向きは図１に示すように把持部の面と平行なものに限られない。後述するように把持部３に埋め込まれたダイヤルで操作子６を形成した場合は、色情報保持部５も把持部の面と垂直に配置される。
【００２７】
また、色情報保持部５が操作子６と一体に形成されてもよい。つまり、操作子６自体が環状の出力（ダイヤル、ホイールなど）を有している場合には操作子６とは別体に色情報保持部５を形成するのではなく、操作子６自体が色情報保持部５を兼用し、操作子６の出力座標それぞれに色情報が設定されるようにしても良い。
【００２８】
操作子６は色情報保持部の中央に配置される。操作子６は、ペンライト１のユーザが把持部を把持した際に当該ユーザの親指が添えられる範囲に配置される。本実施の形態では操作子６としてジョイスティックを用いる例を説明する。操作子６はジョイスティックの他にタッチパネルなどのセンシングデバイスを用いることでも構成することができる。操作子６をタッチパネルで形成する際には、色情報保持部５の環の内部をタッチパネルにしても良いし、色情報保持部５の環そのものがタッチを検出するようにしても良い。センシングデバイスの他の例としては、把持部３の面と略平行な面に指を回転させることで入力をおこなうホイール（物理的なホイールおよびタッチパネルで形成したホイールを含む）や、把持部３の面と略平行な方向に指を直線状にスライドさせることで入力を行う把持部３に埋め込まれたダイヤルが挙げられる。
【００２９】
図２を用いて色情報保持部５と操作子６について更に説明を行う。
【００３０】
図２は、実施の形態１における色情報保持部および操作子を横から見た図である。
【００３１】
図２に示されるように、色情報保持部５の中央にはジョイスティック形状の操作子６が存在する。操作子６を図２中に示す矢印の示す向きのように倒すことで、色情報保持部の一部を特定することができる。また操作子６は図２の真下方向への押下も可能である。
【００３２】
図１に戻ってペンライト１の他の要素の説明を行う。
【００３３】
把持部３には、順送りボタン７と逆送りボタン８が配置される。
【００３４】
把持部３の底面にはメモリ切り替えボタン９が配置される。
【００３５】
順送りボタン７、逆送りボタン８およびメモリ切り替えボタン９は押下可能なボタンである。
【００３６】
ペンライト１は内部に回路基盤を有する。
【００３７】
図３は、実施の形態１における回路基盤のブロック図である。
【００３８】
回路基盤１００は、プロセッサ３０１と、記憶部３０２と、入力部３０３と、出力部３０４と、通信部３０５と、バス３０６を有する。
【００３９】
プロセッサ３０１は、回路基盤１００の他の構成要素の制御と演算を行う。
【００４０】
記憶部３０２は、情報を記録するＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）で構成される。
【００４１】
入力部３０３は操作子６の操作入力、順送りボタン７、逆送りボタン８、メモリ切り替えボタン９の押下入力を受け付ける。
【００４２】
出力部３０４は、発光部２内部の発光体への発光指示と色情報保持部５内部の発光体への発光指示を行う。
【００４３】
通信部３０５は外部情報端末との通信を行う。
【００４４】
バス３０６は回路基盤１００の他の要素同士の情報のやり取りを行うための経路である。
【００４５】
［１−２．動作］
図４および図５を用いてペンライト１の動作を説明する。
【００４６】
ペンライト１は（１）色設定操作によって送信された色設定情報を受信する動作と、（２）受信した色設定情報に基づいて発光部２内部の発光体を発光させる発光動作とを行う。
【００４７】
［１−２−１．色情報設定操作］
色情報設定操作は外部情報端末４００がペンライト１へ色設定情報を送信することで行われる。
【００４８】
図４は、実施の形態１における外部情報端末を示す図である。
【００４９】
外部情報端末４００はスマートフォンやタブレットなどの情報処理端末である。
【００５０】
外部情報端末４００はタッチパネル４１０を有する。タッチパネル４１０はユーザのタッチ入力を受け付ける。
【００５１】
ペンライト１のユーザはタッチパネル４１０へのタッチ入力によって色情報設定操作を行う。
【００５２】
図５は、実施の形態１における色情報設定操作を示すフローチャートである。
【００５３】
以下、図４及び図５を参照しながらフローチャートに沿って色情報設定操作を説明する。
【００５４】
ステップＳ５００において外部情報端末４００は色情報設定操作を開始させる。色情報設定操作を開始させるタイミングは外部情報端末４００に事前にインストールされたアプリケーションが実行されるタイミングなどが挙げられる。
【００５５】
ステップＳ５０１において外部情報端末４００はメモリ番号選択領域４２０へのユーザのタッチ入力を受け付けることによって、メモリ番号の選択を受け付ける。メモリ番号とは色相環（詳細は後述）の色情報を記録する記憶部３０２上の領域を表す番号のことである。図４においてはメモリ番号「１」が選択されたものとする。選択可能なメモリ番号の量はペンライト１の記憶部３０２が有する容量に従う。
【００５６】
ステップＳ５０２において外部情報端末４００は色の数選択領域４３０へのユーザのタッチ入力を受け付けることによって、ステップＳ５０１で選択したメモリ番号における色の数の選択を受け付ける。色の数とは色相環（詳細は後述）を構成する色の数のことである。図４においては色の数「６」が選択されたものとする。選択可能な色の数の量は色情報保持部５の構造に従う。
【００５７】
ステップＳ５０３において外部情報端末４００は色相環表示領域４４０にステップＳ５０２で選択された色の数に対応する色情報設定領域４５０を有する色相環４６０を表示する。図４においては６つの色情報設定領域４５０を有する色相環４６０が色相環表示領域４４０に表示されている。
【００５８】
ステップＳ５０４において外部情報端末４００はステップＳ５０３で表示した色相環の色情報設定領域４５０に対する操作によって色相環内の色の順番および色情報を受け付ける。図４に示されるように色相環表示領域４４０には６つの色情報設定領域４５０が表示されている。当該色情報設定領域４５０の各々をタッチするとタッチパネル４１０上にはカラーパレットが表示される。表示されたカラーパレットから特定の色を選択すると、色情報設定領域４５０に当該色を表す情報が色情報として設定される。
【００５９】
外部情報端末４００において、色相環内の特定の色情報設定領域４５０を基準として時計回り方向に存在する色情報設定領域４５０に設定された色情報に順番が振られる。この順番を色の順番と呼ぶ。
【００６０】
ステップＳ５０５において外部情報端末４００は、ステップＳ５０４までに設定された色設定情報（メモリ番号、色相環の色の数、色の順番および色情報）をペンライト１に送信する。ステップ５０５を実行するタイミングは送信ボタン４７０がタッチされたタイミングなどが挙げられる。また、ユーザはステップＳ５０４の後にステップＳ５０１以降のフローに戻って色情報設定操作を行っても良い。つまり、ユーザは二度目以降のステップＳ５０１において異なるメモリ番号を選択した上で他のメモリ番号で設定した内容とは異なる色相環の色の数、色の順番および色情報を設定した後に、ステップＳ５０４を実行することで、色設定情報をまとめて送信することもできる。
【００６１】
以上で色情報設定操作が終了する（ステップＳ５１０）。
【００６２】
上記フローは色情報設定操作を実現するための一例である。各ステップが行われる順序や入力方法は上述したものに限られない。
【００６３】
また、本開示においてペンライト１を外部情報端末４００と通信可能に設定することおよび、ペンライト１が色設定情報を外部情報端末４００から受信することは必須の構成ではない。色設定情報をペンライト１自身への操作で設定可能なものとしてもよい。または色設定情報は予め定められた固定の情報としてもよい。ただし、ペンライト１を外部情報端末４００と通信可能に設定し、ペンライト１が色設定情報を外部情報端末４００から受信するようにすると、色情報保持部５の環の部分へ色情報を設定する操作を、ユーザにとって操作がしやすく画面表示方法も豊富な外部情報端末を用いて行うことができるという利点がある。
【００６４】
［１−２−２．発光動作］
ペンライト１は通信部３０５を介して色方法設定操作で設定された色設定情報を受信する。
【００６５】
受信された色設定情報は記憶部３０２に記録される。
【００６６】
図６は、実施の形態１における記憶部に記録された色設定情報を示すテーブルを表した図である。
【００６７】
図６におけるテーブル６００に示されるように、各メモリ番号に色相環の色の数、色の順番及び色情報が対応する形で、色設定情報が記憶部３０２に記録されているものとする。
【００６８】
記憶部３０２に記録された色設定情報に基づいてペンライト１は発光動作を行う。
【００６９】
図１および図７を用いて発光動作の説明を行う。
【００７０】
図７は、実施の形態１における発光動作によって実現される状態遷移図である。
【００７１】
［初期発光状態］
電源ＯＦＦ状態（図示しない）において、ペンライト１のスイッチ（図示しない）又は操作子６が押し込まれるとペンライト１は初期発光状態ＳＴ７００に状態が遷移する。
【００７２】
同様に、後述する他の状態において、メモリ切り替えボタン９が押下されると、初期発光状態ＳＴ７００に状態が遷移する。
【００７３】
ＳＴ７００では、まずプロセッサ３０１が参照するメモリ番号を決定する。参照するメモリ番号はＳＴ７００の前の状態によって決定される。前の状態が電源ＯＦＦ状態であれば、参照するメモリ番号は電源ＯＦＦ状態になる前のメモリ番号（記憶部３０２に記録されているものとする）となる。前の状態が電源ＯＦＦ状態以外の状態であれば、前のメモリ番号にプラス１（上限までカウントされた場合はメモリ番号１に戻る）をしたメモリ番号が参照するメモリ番号となる。
【００７４】
ＳＴ７００では、発光部２の内部の発光体が所定の色で発光する。具体的には、まずプロセッサ３０１が記憶部３０２に記録された色設定情報のうち参照するメモリ番号によって示される情報を参照する。プロセッサ３０１は、当該メモリ番号における色の順番において最初に存在する色情報を記憶する。プロセッサ３０１は記憶した色情報が示す色で、発光部２の内部の発光体を発光させるよう出力部３０４を制御する。このようにして、発光部２の内部の発光体が所定の色で発光する。
【００７５】
ＳＴ７００では並行して、色情報保持部５の環の部分に色情報が設定される。具体的には、上述した動作と同じく、まずプロセッサ３０１が記憶部３０２に記録された色設定情報のうち参照するメモリ番号によって示される情報を参照する。プロセッサ３０１は記憶部３０２に記録された色設定情報の色相環の色の数に応じて、色情報保持部５の環の領域を区分する。環の領域の区分は具体的には色情報保持部５の環の背面に存在する発光体の座標範囲を指定することで行われる。例えば色相環の色の数が「８」であれば、図１に示すように、色相環の色の数色情報保持部の環の領域が８つに区分される。プロセッサ３０１は、当該区分された領域を、色設定情報における色の順番及び色情報に従って発光させる。例えば、テーブル６００におけるメモリ番号１が参照されている場合には、色情報保持部５の環が「上、右上、右下、下、左下、左上」の領域に区分される。そして色情報保持部５の背面に存在するディスプレイの上側の領域が赤、右上の領域が青、右下の領域が黄色、下の領域が緑、左下の領域が紫、左上の領域が白で発光するようにプロセッサ３０１が出力部３０４を制御する。このようにして、色情報保持部５の環の部分に色情報が設定される。色情報保持部５の環の部分に色情報が設定されると、色情報保持部５は色相環の外観を呈する。
【００７６】
なお、本実施の形態においては、色情報保持部５の背面に存在するディスプレイが発光することで、色情報保持部５の一部が環の部分毎に設定された色情報に応じて発色するようにしたが、色情報保持部５を発色させることは本開示において必須ではない。
【００７７】
ただし、色情報保持部５の一部が環の部分毎に設定された色情報に応じて発色させるようにすると、色情報保持部５の環の一部を特定した際に発光部がどの色で発光するかがユーザにとって明確となる。よって、より簡便な操作で目的の色を発することができる。
【００７８】
ＳＴ７００では並行して、プロセッサ３０１が操作子６の出力範囲（角度、座標など）と、色情報とが対応するテーブルを作成して記憶部３０２に記録する。具体的には、上述した動作と同じく、まずプロセッサ３０１が記憶部３０２に記録された色設定情報のうち参照するメモリ番号によって示される情報を参照する。プロセッサ３０１は記憶部３０２に記録された色設定情報の色相環の色の数に応じて、操作子６の出力範囲を区分する。プロセッサ３０１は、当該区分された領域に、色設定情報における色の順番に従って、色情報を対応させる。本実施の形態では色情報保持部５が環であることに対応して、操作子６の出力範囲も操作子６の中心を基準にして環状に定義されている。つまり、テーブル６００におけるメモリ番号１が参照されている場合には、操作子６の出力範囲が「上、右上、右下、下、左下、左上」の領域に区分される。そしてプロセッサ３０１は、当該領域にそれぞれ「赤、青、黄、緑、紫、白」の色情報が対応するテーブルを作成して記憶部３０２に記録する。このようにして、プロセッサ３０１が操作子６の出力範囲（角度、座標など）と、色情報とが対応するテーブルを作成して記憶部３０２に記録することができる。
【００７９】
［操作子で指示された色で発光］
ペンライト１のユーザが操作子６を操作することで、色情報保持部５の一部を特定する操作を行うと、ペンライト１は操作子６で指示された色で発光する指示色発光状態ＳＴ７１０に移行する。
【００８０】
色情報保持部５の一部を特定する操作としては、操作子６の具体的形態に応じて様々な態様が挙げられる。本実施の形態のように操作子６がジョイスティックである場合は、当該ジョイスティックを押し倒す操作によって色情報保持部５の一部を特定することができる。また、他の実施の形態として、操作子６がタッチパネルである場合は、当該タッチパネルに対するスライド操作によって色情報保持部５の一部を特定することができる。
【００８１】
上述した操作は、操作子６上においてユーザが親指を移動する操作によって色情報保持部５の環の一部を特定する操作といえる。このようにすると、ユーザは直感的に色情報保持部５の環の一部を特定する操作を行うことができる。
【００８２】
なお、色情報保持部５の環の一部を特定する操作は、操作子６上においてユーザが親指を移動する操作に限られない。操作子６がタッチパネルである場合であって、ユーザが触れた座標にもっとも近い位置が色情報保持部５の環の一部として特定されても良い。
【００８３】
指示色発光状態において、プロセッサ３０１は、入力部３０３を介して操作子６の出力を受け取ることで、発光部２の内部の発光体を発光させる色を決定する。記憶部３０２には上述したように、操作子６の出力範囲（角度、座標など）と、色情報とが対応するテーブルがあらかじめ記録されている。操作子６の出力と当該テーブルとを比較することで、プロセッサ３０１は、発光部２の内部の発光体を発光させる色を決定することができる。
【００８４】
上述した一連の動作によれば、色情報保持部５に設定された色情報と操作子６の出力範囲に対応付けられた色情報とが一致するので、ユーザが直感的に任意の色で発光部２を発光させることができる。例えばユーザが操作子６で色情報保持部５の赤色で発光している部分を特定すると、発光部２の内部の発光体も赤色で発光することになる。
【００８５】
［色相環上の順隣の色で発光］
ペンライト１の順送りボタン７が押下されると、ペンライト１は色情報保持部５の色相環上の順隣の色で発光する状態ＳＴ７２０に状態が遷移する。
【００８６】
ＳＴ７２０においてプロセッサ３０１は、記憶部３０２に記録された色設定情報のうち参照するメモリ番号によって示される情報を参照する。プロセッサ３０１は、現在発光している色と、色情報とを比較し、現在発光している色から、色の順番に従って次に存在する色で発光部２の内部の発光体を発光させる。
【００８７】
［色相環上の逆隣の色で発光］
ペンライト１の逆送りボタン８が押下されると、ペンライト１は色情報保持部５の色相環上の逆隣の色で発光する状態ＳＴ７３０に状態が遷移する。
【００８８】
ＳＴ７２０においてプロセッサ３０１は、記憶部３０２に記録された色設定情報のうち参照するメモリ番号によって示される情報を参照する。プロセッサ３０１は、現在発光している色と、色情報とを比較し、現在発光している色から、色の順番とは逆に存在する色で発光部２の内部の発光体を発光させる。
【００８９】
［１−３．効果等］
以上のように本実施の形態において、本開示のペンライト１は発光部２と、環状の色情報保持部５を有する。色情報保持部５には環の部分毎に色情報が設定されている。色情報保持部５の環の中央には操作子６が配置される。ユーザが操作子６を用いて色情報保持部５の環の一部を特定する操作を行うとペンライト１は当該操作に応じて発光部２で発光する色を定める。
【００９０】
このようにすると、ユーザが色情報保持部５に設定された色情報を特定する操作を行うことで、発光部２が特定された色情報に応じた色で発光する。色情報保持部５は環状であるので、特定の色から特定の色へ発光色を変更する際の操作が簡潔である。また、色情報保持部５に設定された色情報はユーザにとって既知であるので、ユーザは直感的に色を変更することができる。よって、本開示によれば、簡便な操作で目的の色を発するペンライトを提供することができる。
【００９１】
また、本実施の形態において、ペンライト１の色情報保持部５は把持部３の近傍に形成される。また、ペンライト１をユーザが把持した際にユーザの親指が存在する位置に操作子６が配置される。そして、操作子６上においてユーザの親指が移動する操作によって、色情報保持部５の環の一部を特定することができる。
【００９２】
このようにすると、上述したようにユーザは直感的に色情報保持部５の環の一部を特定する操作を行うことができる。よって、本開示によれば、より簡便な操作で目的の色を発するペンライトを提供することができる。
【００９３】
また、本実施の形態において、操作子６はジョイスティックである。
【００９４】
このようにすると、頻繁かつ高速に色変更を行う必要が有る場合でも、操作子６の入力応答速度を十分なものとすることができる。
【００９５】
また、他の実施の形態において、操作子６はタッチパネルであってもよい。
【００９６】
このようにすると、ペンライト１の機構部品数を削減させることができる。
【００９７】
また、本実施の形態において色情報保持部５の一部は環の部分毎に設定された色情報に応じて発色する。
【００９８】
このようにすると、上述したように、ユーザにとってより簡便な操作で目的の色を発することができる。
【００９９】
また、本実施の形態においてペンライト１は外部情報端末４００と通信可能である。ペンライト１は、色情報保持部５の環の部分へ色情報を設定する情報を外部情報端末４００から受信する。
【０１００】
このようにすると、色情報保持部５の環の部分へ色情報を設定する操作を、ユーザにとって操作がしやすく画面表示方法も豊富な外部情報端末を用いて行うことができる。
【０１０１】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【０１０２】
なお、上述の実施の形態は、本開示における技術を例示するためのものであるから、特許請求の範囲またはその均等の範囲において種々の変更、置き換え、付加、省略などを行うことができる。
【産業上の利用可能性】
【０１０３】
本開示は、コンサート会場で用いるペンライトなどに適用可能である。
【符号の説明】
【０１０４】
１  ペンライト
２  発光部
３  把持部
４  柄部
５  色情報保持部
６  操作子
７  順送りボタン
８  逆送りボタン
９  メモリ切り替えボタン
１００  回路基盤
３０１  プロセッサ
３０２  記憶部
３０３  入力部
３０４  出力部
３０５  通信部
３０６  バス
４００  外部情報端末
４１０  タッチパネル
４２０  メモリ番号選択領域
４３０  数選択領域
４４０  色相環表示領域
４５０  色情報設定領域
４６０  色相環
４７０  送信ボタン
６００  テーブル
【図１】
2018097946.tif 000003
【図２】
2018097946.tif 000004
【図３】
2018097946.tif 000005
【図４】
2018097946.tif 000006
【図５】
2018097946.tif 000007
【図６】
2018097946.tif 000008
【図７】
2018097946.tif 000009